(57)【要約】【課題】タイムサービスが実施される施設を把握することができ、ひいては、所望のタイムサービスを受けることができる可能性を高めることができる「車載用ナビゲーション装置」を提供すること。【解決手段】タイムサービス実施施設提示手段２２により、地図データ記憶手段１４に記憶されたタイムサービスが実施される施設についての施設情報と、タイムサービス情報記憶手段１４に記憶されたタイムサービス情報とに基づいて、所定の時刻または所定の時間がタイムサービスが実施される時間内となるようなタイムサービスが実施される施設をユーザに提示すること。【選択図】図３
2010271061.tif 000002
【特許請求の範囲】
【請求項１】
施設のタイムサービスに関する情報を除く施設の所定の属性を示す情報である施設情報を含む地図データが記憶された地図データ記憶手段と、
タイムサービスが実施される施設についてのタイムサービスに関する情報であって、少なくとも、タイムサービスの実施時間を示す情報であるタイムサービス情報が、前記タイムサービスが実施される施設についての前記施設情報と対応した状態で記憶されたタイムサービス情報記憶手段と、
前記地図データ記憶手段に記憶された前記タイムサービスが実施される施設についての前記施設情報と、前記タイムサービス情報記憶手段に記憶された前記タイムサービス情報とに基づいて、所定の時刻または所定の時間が前記タイムサービスの実施時間内となるような前記タイムサービスが実施される施設をユーザに提示するタイムサービス実施施設提示手段と
を備えたことを特徴とする車載用ナビゲーション装置。
【請求項２】
前記地図データ記憶手段に記憶された前記地図データに基づいて、所定領域の地図を表示部に表示する地図表示手段と、
前記地図データ記憶手段に記憶された前記施設情報に基づいて、前記地図表示手段によって表示される前記地図上に、前記所定領域内に存在する施設を示すアイコンを重畳表示する施設アイコン表示手段と、
現在の時刻を取得する現在時刻取得手段と
を備え、
前記タイムサービス実施施設提示手段は、
前記地図データ記憶手段に記憶された前記所定領域内に存在する施設についての前記施設情報と、前記タイムサービス情報記憶手段に記憶された前記タイムサービス情報とに基づいて、前記所定領域内に存在する施設のうちの前記タイムサービスが実施される施設である地図領域内該当施設を抽出する地図領域内該当施設抽出手段と、
前記現在時刻取得手段によって取得された前記現在の時刻に基づいて、前記地図領域内該当施設抽出手段によって抽出された前記地図領域内該当施設に対して、現在タイムサービスが実施されているか否かの判定を行う地図領域内該当施設現時実施判定手段と、
この地図領域内該当施設現時実施判定手段の判定結果が肯定的となる前記地図領域内該当施設についての前記アイコンの表示態様を、当該判定結果が否定的となる前記地図領域内該当施設についての前記アイコンの表示態様および前記地図領域内該当施設以外の前記所定領域内に存在する施設についての前記アイコンの表示態様と異ならせるように前記施設アイコン表示手段を制御する施設アイコン表示制御手段と
を有するとともに、前記所定の時刻としての前記現在の時刻が前記タイムサービスの実施時間内となるような前記タイムサービスが実施される施設を、前記地図領域内該当施設現時実施判定手段の判定結果が肯定的となる前記地図領域内該当施設についての前記施設アイコン表示制御手段の前記制御にしたがった表示態様での前記施設アイコン表示手段による前記アイコンの表示によってユーザに提示すること
を特徴とする請求項１に記載の車載用ナビゲーション装置。
【請求項３】
現在の時刻を取得する現在時刻取得手段と、
前記地図データ記憶手段に記憶された前記施設情報に基づいて、前記施設の所定の属性に関する設定された検索条件を満足する施設を検索する施設検索手段と、
この施設検索手段の検索結果を表示部に表示する施設検索結果表示手段と
を備え、
前記タイムサービス実施施設提示手段は、
前記地図データ記憶手段に記憶された前記施設検索手段によって検索された施設についての前記施設情報と、前記タイムサービス情報記憶手段に記憶された前記タイムサービス情報とに基づいて、前記施設検索手段によって検索された施設のうちの前記タイムサービスが実施される施設である検索施設内該当施設を抽出する検索施設内該当施設抽出手段と、
前記現在時刻取得手段によって取得された前記現在の時刻に基づいて、前記検索施設内該当施設抽出手段によって抽出された前記検索施設内該当施設に対して、現在タイムサービスが実施されているか否かの判定を行う検索施設内該当施設現時実施判定手段と、
この検索施設内該当施設現時実施判定手段の判定結果が肯定的となる前記検索施設内該当施設についての前記検索結果を強調表示するように前記施設検索結果表示手段を制御する現時実施該当施設強調表示制御手段と
を有するとともに、前記所定の時刻としての前記現在の時刻が前記タイムサービスの実施時間内となるような前記タイムサービスが実施される施設を、前記検索施設内該当施設現時実施判定手段の判定結果が肯定的となる前記検索施設内該当施設についての前記現時実施該当施設強調表示制御手段の前記制御にしたがった前記施設検索結果表示手段による前記検索結果の強調表示によってユーザに提示すること
を特徴とする請求項１または請求項２に記載の車載用ナビゲーション装置。
【請求項４】
前記施設検索結果表示手段は、前記施設検索手段の検索結果を前記表示部に一覧として表示するように形成され、
前記タイムサービス実施施設提示手段は、前記一覧に示される前記施設検索手段の検索結果の並び順を、ユーザの指示を待って変更する並び替え手段を備え、
前記並び替え手段は、前記検索施設内該当施設現時実施判定手段の判定結果が肯定的となる前記検索施設内該当施設についての前記検索結果を前記一覧の先頭側に表示する旨の前記ユーザの指示を許容し、当該指示にしたがった前記並び順の変更を行うことが可能とされていること
を特徴とする請求項３に記載の車載用ナビゲーション装置。
【請求項５】
前記地図データ記憶手段に記憶された前記施設情報に基づいて、前記施設の所定の属性に関する設定された検索条件を満足する施設を検索する施設検索手段と、
この施設検索手段の検索結果を表示部に表示する施設検索結果表示手段と、
前記施設検索手段によって検索された施設への到着予想時刻を算出する到着予想時刻算出手段と
を備え、
前記タイムサービス実施施設提示手段は、
前記地図データ記憶手段に記憶された前記施設検索手段によって検索された施設についての前記施設情報と、前記タイムサービス情報記憶手段に記憶された前記タイムサービス情報とに基づいて、前記施設検索手段によって検索された施設のうちの前記タイムサービスが実施される施設である検索施設内該当施設を抽出する検索施設内該当施設抽出手段と、
この検索施設内該当施設抽出手段によって抽出された前記検索施設内該当施設についての前記到着予想時刻算出手段によって算出された前記到着予想時刻に基づいて、当該検索施設内該当施設に対して、その到着予想時刻においてタイムサービスが実施されているか否かの判定を行う検索施設内該当施設到着時実施判定手段と、
この検索施設内該当施設到着時実施判定手段の判定結果が肯定的となる前記検索施設内該当施設についての前記検索結果を強調表示するように前記施設検索結果表示手段を制御する到着時実施該当施設強調表示制御手段と
を有するとともに、前記所定の時刻としての前記到着予想時刻が前記タイムサービスの実施時間内となるような前記タイムサービスが実施される施設を、前記検索施設内該当施設到着時実施判定手段の判定結果が肯定的となる前記検索施設内該当施設についての前記到着時実施該当施設強調表示制御手段の前記制御にしたがった前記施設検索結果表示手段による前記検索結果の強調表示によってユーザに提示すること
を特徴とする請求項１乃至請求項４のいずれか１項に記載の車載用ナビゲーション装置。
【請求項６】
前記施設検索手段によって検索された施設の中からユーザによって選択された施設を目的地に設定する目的地設定手段と、
この目的地設定手段によって設定された目的地までの自車両の経路誘導を行う経路誘導手段と
を備え、
前記タイムサービス実施施設提示手段は、
前記目的地設定手段によって前記検索施設内該当施設到着時実施判定手段の判定結果が肯定的となる前記検索施設内該当施設が前記目的地に設定された場合に、この設定された目的地までの前記経路誘導手段による前記経路誘導の開始時に、当該目的地への到着予想時刻に当該目的地においてタイムサービスが実施されている旨を音声案内するタイムサービス音声案内手段を有するとともに、前記所定の時刻としての前記到着予想時刻が前記タイムサービスの実施時間内となるような前記タイムサービスが実施される施設を、前記タイムサービス音声案内手段による前記音声案内によってユーザに提示すること
を特徴とする請求項５に記載の車載用ナビゲーション装置。
【請求項７】
前記施設検索結果表示手段は、前記施設検索手段の検索結果を前記表示部に一覧として表示するように形成され、
前記タイムサービス実施施設提示手段は、前記一覧に示される前記施設検索手段の検索結果の並び順を、ユーザの指示を待って変更する並び替え手段を備え、
前記並び替え手段は、前記検索施設内該当施設到着時実施判定手段の判定結果が肯定的となる前記検索施設内該当施設についての前記検索結果を前記一覧の先頭側に表示する旨の前記ユーザの指示を許容し、当該指示にしたがった前記並び順の変更を行うことが可能とされていること
を特徴とする請求項５または請求項６に記載の車載用ナビゲーション装置。
【請求項８】
施設の検索条件を設定可能とされた施設検索条件設定手段と、
この施設検索条件設定手段によって設定された検索条件を満足する施設を検索する施設検索手段と、
この施設検索手段の検索結果を表示部に表示する施設検索結果表示手段と
を備え、
前記施設検索条件設定手段によって設定可能とされた前記施設の検索条件には、前記タイムサービスが実施される施設のジャンルの条件および前記タイムサービスの実施時間の条件が含まれており、
前記施設検索手段および前記施設検索結果表示手段は、前記施設検索条件設定手段によって前記ジャンルおよび前記実施時間の各検索条件が設定された場合には、前記タイムサービス実施施設提示手段として機能し、前記地図データ記憶手段に記憶された前記施設情報と、前記タイムサービス情報記憶手段に記憶された前記タイムサービス情報とに基づいて、前記ジャンルおよび前記実施時間の各検索条件を満足する施設であるジャンル／実施時間該当施設を検索し、検索された前記ジャンル／実施時間該当施設の検索結果を表示することにより、前記所定の時間としての前記施設検索条件設定手段によって設定された前記実施時間が前記タイムサービスの実施時間内となるような前記タイムサービスが実施される施設をユーザに提示すること
を特徴とする請求項１乃至請求項７のいずれか１項に記載の車載用ナビゲーション装置。
【請求項９】
現在の時刻を取得する現在時刻取得手段と、
前記地図データ記憶手段に記憶された前記施設情報に基づいて、前記施設の所定の属性に関する設定された検索条件を満足する施設を検索する施設検索手段と、
この施設検索手段の検索結果を表示部に表示する施設検索結果表示手段と、
前記施設検索手段に前記検索条件を満足する施設の検索結果に対する絞り込み検索を行わせるための絞り込み検索条件を設定可能とされた絞り込み検索条件設定手段と
を備え、
前記絞り込み検索条件には、現在の時刻が前記タイムサービスの実施時間内となる施設である現時該当施設を絞り込む旨の絞り込み検索条件が含まれており、
前記施設検索手段および前記施設検索結果表示手段は、前記絞り込み検索条件設定手段によって前記現時該当施設を絞り込む旨の絞り込み検索条件が設定された場合には、前記タイムサービス実施施設提示手段として機能し、前記現在時刻取得手段によって取得された前記現在の時刻と、前記地図データ記憶手段に記憶された前記施設情報と、前記タイムサービス情報記憶手段に記憶された前記タイムサービス情報とに基づいて前記現時該当施設を絞り込み検索し、絞り込み検索された前記現時該当施設の検索結果を表示することにより、前記所定の時刻としての前記現在の時刻が前記タイムサービスの実施時間内となるような前記タイムサービスが実施される施設をユーザに提示すること
を特徴とする請求項１乃至請求項８のいずれか１項に記載の車載用ナビゲーション装置。
【請求項１０】
前記地図データ記憶手段に記憶された前記施設情報に基づいて、前記施設の所定の属性に関する設定された検索条件を満足する施設を検索する施設検索手段と、
この施設検索手段の検索結果を表示部に表示する施設検索結果表示手段と、
前記施設検索手段によって検索された施設への到着予想時刻を算出する到着予想時刻算出手段と、
前記施設検索手段に前記検索条件を満足する施設の検索結果に対する絞り込み検索を行わせるための絞り込み検索条件を設定可能とされた絞り込み検索条件設定手段と
を備え、
前記絞り込み検索条件には、到着予想時刻が前記タイムサービスの実施時間内となる施設である到着時該当施設を絞り込む旨の絞り込み検索条件が含まれており、
前記施設検索手段および前記施設検索結果表示手段は、前記絞り込み検索条件設定手段によって前記到着時該当施設を絞り込む旨の絞り込み検索条件が設定された場合には、前記タイムサービス実施施設提示手段として機能し、前記到着予想時刻算出手段によって算出された前記到着予想時刻と、前記地図データ記憶手段に記憶された前記施設情報と、前記タイムサービス情報記憶手段に記憶された前記タイムサービス情報とに基づいて前記到着時該当施設を絞り込み検索し、絞り込み検索された前記到着時該当施設の検索結果を表示することにより、前記所定の時刻としての前記到着予想時刻が前記タイムサービスの実施時間内となるような前記タイムサービスが実施される施設をユーザに提示すること
を特徴とする請求項１乃至請求項９のいずれか１項に記載の車載用ナビゲーション装置。
【請求項１１】
前記タイムサービス情報を、このタイムサービス情報に対応する施設を特定可能な状態で配信する配信サーバに接続可能とされ、前記配信サーバとの接続状態において、前記配信サーバから配信される前記タイムサービス情報を取得するタイムサービス情報取得手段と、
このタイムサービス情報取得手段によって取得された前記タイムサービス情報を、前記タイムサービスが実施される施設についての前記施設情報と対応した状態で前記タイムサービス情報記憶手段に記録するタイムサービス情報記録手段と
を備えたことを特徴とする請求項１乃至請求項１０のいずれか１項に記載の車載用ナビゲーション装置。
【請求項１２】
前記タイムサービス情報記憶手段は、前記地図データ記憶手段と同一の記憶手段とされており、
前記タイムサービス情報は、前記地図データの一部を構成していること
を特徴とする請求項１乃至請求項１１のいずれか１項に記載の車載用ナビゲーション装置。
【発明の詳細な説明】
【技術分野】
【０００１】
本発明は、車載用ナビゲーション装置に係り、特に、ユーザに施設を提示するのに好適な車載用ナビゲーション装置に関する。
【背景技術】
【０００２】
従来から、車載用ナビゲーション装置においては、地図データにおけるＰＯＩ(Points Of Interest)情報に基づいて、到着予想時刻が営業時間内となる施設を示すアイコン（ランドマーク）を、他の施設のアイコンとは異なる特殊な表示態様で地図上に重畳表示することによって、営業時間内の施設をユーザに提示することが行われていた。
【０００３】
例えば、特許文献１においては、到着予想時刻が営業時間内であるか否かに応じてランドマークの表示のコントラストを変更することが提案されている。
【先行技術文献】
【特許文献】
【０００４】
【特許文献１】特開２００２−９８５３９号公報
【発明の概要】
【発明が解決しようとする課題】
【０００５】
ところで、スーパーやデパート等の店舗においては、通常の営業時間内に、時間を限定したタイムセールが実施されることがある。また、レストラン等の飲食店においても、通常の営業時間内に時間を限定したランチタイムサービスが実施されることがある。このように、種々の施設において、通常の営業時間内における時間を限定したサービス（以下、タイムサービスと称する）が実施されることは珍しくない。
【０００６】
しかしながら、従来の車載用ナビゲーション装置においては、施設が営業時間内であるか否かの情報しか提示することができなかったため、通常の営業時間内にタイムサービスが実施される施設を把握したいというユーザの要求に応えることができないといった問題が生じていた。
【０００７】
そこで、本発明は、このような問題点に鑑みなされたものであり、タイムサービスが実施される施設を把握することができ、ひいては、所望のタイムサービスを受けることができる可能性を高めることができる車載用ナビゲーション装置を提供することを目的とするものである。
【課題を解決するための手段】
【０００８】
前述した目的を達成するため、本発明に係る車載用ナビゲーション装置は、施設のタイムサービスに関する情報を除く施設の所定の属性を示す情報である施設情報を含む地図データが記憶された地図データ記憶手段と、タイムサービスが実施される施設についてのタイムサービスに関する情報であって、少なくとも、タイムサービスの実施時間を示す情報であるタイムサービス情報が、前記タイムサービスが実施される施設についての前記施設情報と対応した状態で記憶されたタイムサービス情報記憶手段と、前記地図データ記憶手段に記憶された前記タイムサービスが実施される施設についての前記施設情報と、前記タイムサービス情報記憶手段に記憶された前記タイムサービス情報とに基づいて、所定の時刻または所定の時間が前記タイムサービスの実施時間内となるような前記タイムサービスが実施される施設をユーザに提示するタイムサービス実施施設提示手段とを備えたことを特徴としている。
【０００９】
そして、このような構成によれば、タイムサービス実施施設提示手段により、所定の時刻または所定の時間がタイムサービスの実施時間内となるようなタイムサービスが実施される施設をユーザに提示することができるので、ユーザが、所定の時刻または所定の時間にタイムサービスが実施されている施設を確実に把握することができる。
【００１０】
また、前記地図データ記憶手段に記憶された前記地図データに基づいて、所定領域の地図を表示部に表示する地図表示手段と、前記地図データ記憶手段に記憶された前記施設情報に基づいて、前記地図表示手段によって表示される前記地図上に、前記所定領域内に存在する施設を示すアイコンを重畳表示する施設アイコン表示手段と、現在の時刻を取得する現在時刻取得手段とを備え、前記タイムサービス実施施設提示手段は、前記地図データ記憶手段に記憶された前記所定領域内に存在する施設についての前記施設情報と、前記タイムサービス情報記憶手段に記憶された前記タイムサービス情報とに基づいて、前記所定領域内に存在する施設のうちの前記タイムサービスが実施される施設である地図領域内該当施設を抽出する地図領域内該当施設抽出手段と、前記現在時刻取得手段によって取得された前記現在の時刻に基づいて、前記地図領域内該当施設抽出手段によって抽出された前記地図領域内該当施設に対して、現在タイムサービスが実施されているか否かの判定を行う地図領域内該当施設現時実施判定手段と、この地図領域内該当施設現時実施判定手段の判定結果が肯定的となる前記地図領域内該当施設についての前記アイコンの表示態様を、当該判定結果が否定的となる前記地図領域内該当施設についての前記アイコンの表示態様および前記地図領域内該当施設以外の前記所定領域内に存在する施設についての前記アイコンの表示態様と異ならせるように前記施設アイコン表示手段を制御する施設アイコン表示制御手段とを有するとともに、前記所定の時刻としての前記現在の時刻が前記タイムサービスの実施時間内となるような前記タイムサービスが実施される施設を、前記地図領域内該当施設現時実施判定手段の判定結果が肯定的となる前記地図領域内該当施設についての前記施設アイコン表示制御手段の前記制御にしたがった表示態様での前記施設アイコン表示手段による前記アイコンの表示によってユーザに提示してもよい。
【００１１】
そして、このような構成によれば、タイムサービス実施施設提示手段により、現在の時刻がタイムサービスの実施時間内となるようなタイムサービスが実施される施設を、地図領域内該当施設現時実施判定手段の判定結果が肯定的となる地図領域内該当施設についての施設アイコン表示制御手段による制御にしたがった表示態様でのアイコンの表示によってユーザに提示することができるので、ユーザが、地図上のアイコンの表示態様に基づいて、現在タイムサービスが実施されている施設を簡便かつ確実に把握することができる。
【００１２】
さらに、現在の時刻を取得する現在時刻取得手段と、前記地図データ記憶手段に記憶された前記施設情報に基づいて、前記施設の所定の属性に関する設定された検索条件を満足する施設を検索する施設検索手段と、この施設検索手段の検索結果を表示部に表示する施設検索結果表示手段とを備え、前記タイムサービス実施施設提示手段は、前記地図データ記憶手段に記憶された前記施設検索手段によって検索された施設についての前記施設情報と、前記タイムサービス情報記憶手段に記憶された前記タイムサービス情報とに基づいて、前記施設検索手段によって検索された施設のうちの前記タイムサービスが実施される施設である検索施設内該当施設を抽出する検索施設内該当施設抽出手段と、前記現在時刻取得手段によって取得された前記現在の時刻に基づいて、前記検索施設内該当施設抽出手段によって抽出された前記検索施設内該当施設に対して、現在タイムサービスが実施されているか否かの判定を行う検索施設内該当施設現時実施判定手段と、この検索施設内該当施設現時実施判定手段の判定結果が肯定的となる前記検索施設内該当施設についての前記検索結果を強調表示するように前記施設検索結果表示手段を制御する現時実施該当施設強調表示制御手段とを有するとともに、前記所定の時刻としての前記現在の時刻が前記タイムサービスの実施時間内となるような前記タイムサービスが実施される施設を、前記検索施設内該当施設現時実施判定手段の判定結果が肯定的となる前記検索施設内該当施設についての前記現時実施該当施設強調表示制御手段の前記制御にしたがった前記施設検索結果表示手段による前記検索結果の強調表示によってユーザに提示してもよい。
【００１３】
そして、このような構成によれば、タイムサービス実施施設提示手段により、現在の時刻がタイムサービスの実施時間内となるようなタイムサービスが実施される施設を、検索施設内該当施設現時実施判定手段の判定結果が肯定的となる検索施設内該当施設についての現時実施該当施設強調表示制御手段による制御にしたがった検索結果の強調表示によってユーザに提示することができるので、ユーザが、施設の検索結果の強調表示状態に基づいて、現在タイムサービスが実施されている施設を簡便かつ確実に把握することができる。
【００１４】
さらにまた、前記施設検索結果表示手段は、前記施設検索手段の検索結果を前記表示部に一覧として表示するように形成され、前記タイムサービス実施施設提示手段は、前記一覧に示される前記施設検索手段の検索結果の並び順を、ユーザの指示を待って変更する並び替え手段を備え、前記並び替え手段は、前記検索施設内該当施設現時実施判定手段の判定結果が肯定的となる前記検索施設内該当施設についての前記検索結果を前記一覧の先頭側に表示する旨の前記ユーザの指示を許容し、当該指示にしたがった前記並び順の変更を行うことが可能とされていてもよい。
【００１５】
そして、このような構成によれば、並び替え手段により、検索施設内該当施設現時実施判定手段の判定結果が肯定的となる検索施設内該当施設についての検索結果を一覧の先頭側に表示することができるので、ユーザが、現在タイムサービスが実施されている施設をより簡便かつ迅速に把握することができる。
【００１６】
また、前記地図データ記憶手段に記憶された前記施設情報に基づいて、前記施設の所定の属性に関する設定された検索条件を満足する施設を検索する施設検索手段と、この施設検索手段の検索結果を表示部に表示する施設検索結果表示手段と、前記施設検索手段によって検索された施設への到着予想時刻を算出する到着予想時刻算出手段とを備え、前記タイムサービス実施施設提示手段は、前記地図データ記憶手段に記憶された前記施設検索手段によって検索された施設についての前記施設情報と、前記タイムサービス情報記憶手段に記憶された前記タイムサービス情報とに基づいて、前記施設検索手段によって検索された施設のうちの前記タイムサービスが実施される施設である検索施設内該当施設を抽出する検索施設内該当施設抽出手段と、この検索施設内該当施設抽出手段によって抽出された前記検索施設内該当施設についての前記到着予想時刻算出手段によって算出された前記到着予想時刻に基づいて、当該検索施設内該当施設に対して、その到着予想時刻においてタイムサービスが実施されているか否かの判定を行う検索施設内該当施設到着時実施判定手段と、この検索施設内該当施設到着時実施判定手段の判定結果が肯定的となる前記検索施設内該当施設についての前記検索結果を強調表示するように前記施設検索結果表示手段を制御する到着時実施該当施設強調表示制御手段とを有するとともに、前記所定の時刻としての前記到着予想時刻が前記タイムサービスの実施時間内となるような前記タイムサービスが実施される施設を、前記検索施設内該当施設到着時実施判定手段の判定結果が肯定的となる前記検索施設内該当施設についての前記到着時実施該当施設強調表示制御手段の前記制御にしたがった前記施設検索結果表示手段による前記検索結果の強調表示によってユーザに提示してもよい。
【００１７】
そして、このような構成によれば、タイムサービス実施施設提示手段により、到着予想時刻がタイムサービスの実施時間内となるようなタイムサービスが実施される施設を、検索施設内該当施設到着時実施判定手段の判定結果が肯定的となる検索施設内該当施設についての到着時実施該当施設強調表示制御手段による制御にしたがった検索結果の強調表示によってユーザに提示することができるので、ユーザが、施設の検索結果の強調表示状態に基づいて、到着予想時刻にタイムサービスが実施されている施設を簡便かつ確実に把握することができる。
【００１８】
さらに、前記施設検索手段によって検索された施設の中からユーザによって選択された施設を目的地に設定する目的地設定手段と、この目的地設定手段によって設定された目的地までの自車両の経路誘導を行う経路誘導手段とを備え、前記タイムサービス実施施設提示手段は、前記目的地設定手段によって前記検索施設内該当施設到着時実施判定手段の判定結果が肯定的となる前記検索施設内該当施設が前記目的地に設定された場合に、この設定された目的地までの前記経路誘導手段による前記経路誘導の開始時に、当該目的地への到着予想時刻に当該目的地においてタイムサービスが実施されている旨を音声案内するタイムサービス音声案内手段を有するとともに、前記所定の時刻としての前記到着予想時刻が前記タイムサービスの実施時間内となるような前記タイムサービスが実施される施設を、前記タイムサービス音声案内手段による前記音声案内によってユーザに提示してもよい。
【００１９】
そして、このような構成によれば、タイムサービス実施施設提示手段により、到着予想時刻がタイムサービスの実施時間内となるようなタイムサービスが実施される施設を、検索施設内該当施設到着時実施判定手段の判定結果が肯定的となる検索施設内該当施設（すなわち目的地）までの経路誘導の開始時におけるタイムサービス音声案内手段による音声案内によってユーザに提示することができるので、ユーザが、音声案内に基づいて到着予想時刻にタイムサービスが実施されている施設をさらに確実に把握することができる。
【００２０】
さらにまた、前記施設検索結果表示手段は、前記施設検索手段の検索結果を前記表示部に一覧として表示するように形成され、前記タイムサービス実施施設提示手段は、前記一覧に示される前記施設検索手段の検索結果の並び順を、ユーザの指示を待って変更する並び替え手段を備え、前記並び替え手段は、前記検索施設内該当施設到着時実施判定手段の判定結果が肯定的となる前記検索施設内該当施設についての前記検索結果を前記一覧の先頭側に表示する旨の前記ユーザの指示を許容し、当該指示にしたがった前記並び順の変更を行うことが可能とされていてもよい。
【００２１】
そして、このような構成によれば、並び替え手段により、検索施設内該当施設到着時実施判定手段の判定結果が肯定的となる検索施設内該当施設についての検索結果を一覧の先頭側に表示することができるので、ユーザが、到着予想時刻にタイムサービスが実施されている施設をより簡便かつ迅速に把握することができる。
【００２２】
また、施設の検索条件を設定可能とされた施設検索条件設定手段と、この施設検索条件設定手段によって設定された検索条件を満足する施設を検索する施設検索手段と、この施設検索手段の検索結果を表示部に表示する施設検索結果表示手段とを備え、前記施設検索条件設定手段によって設定可能とされた前記施設の検索条件には、前記タイムサービスが実施される施設のジャンルの条件および前記タイムサービスの実施時間の条件が含まれており、前記施設検索手段および前記施設検索結果表示手段は、前記施設検索条件設定手段によって前記ジャンルおよび前記実施時間の各検索条件が設定された場合には、前記タイムサービス実施施設提示手段として機能し、前記地図データ記憶手段に記憶された前記施設情報と、前記タイムサービス情報記憶手段に記憶された前記タイムサービス情報とに基づいて、前記ジャンルおよび前記実施時間の各検索条件を満足する施設であるジャンル／実施時間該当施設を検索し、検索された前記ジャンル／実施時間該当施設の検索結果を表示することにより、前記所定の時間としての前記施設検索条件設定手段によって設定された前記実施時間が前記タイムサービスの実施時間内となるような前記タイムサービスが実施される施設をユーザに提示してもよい。
【００２３】
そして、このような構成によれば、タイムサービス実施施設提示手段により、施設検索条件設定手段によって設定された実施時間がタイムサービスの実施時間内となるようなタイムサービスが実施される施設を、ジャンル／実施時間該当施設の検索およびその検索結果の表示によってユーザに提示することができるので、ユーザが、希望する時間にタイムサービスが実施されている施設を積極的に検索して把握することができる。
【００２４】
さらに、現在の時刻を取得する現在時刻取得手段と、前記地図データ記憶手段に記憶された前記施設情報に基づいて、前記施設の所定の属性に関する設定された検索条件を満足する施設を検索する施設検索手段と、この施設検索手段の検索結果を表示部に表示する施設検索結果表示手段と、前記施設検索手段に前記検索条件を満足する施設の検索結果に対する絞り込み検索を行わせるための絞り込み検索条件を設定可能とされた絞り込み検索条件設定手段とを備え、前記絞り込み検索条件には、現在の時刻が前記タイムサービスの実施時間内となる施設である現時該当施設を絞り込む旨の絞り込み検索条件が含まれており、前記施設検索手段および前記施設検索結果表示手段は、前記絞り込み検索条件設定手段によって前記現時該当施設を絞り込む旨の絞り込み検索条件が設定された場合には、前記タイムサービス実施施設提示手段として機能し、前記現在時刻取得手段によって取得された前記現在の時刻と、前記地図データ記憶手段に記憶された前記施設情報と、前記タイムサービス情報記憶手段に記憶された前記タイムサービス情報とに基づいて前記現時該当施設を絞り込み検索し、絞り込み検索された前記現時該当施設の検索結果を表示することにより、前記所定の時刻としての前記現在の時刻が前記タイムサービスの実施時間内となるような前記タイムサービスが実施される施設をユーザに提示してもよい。
【００２５】
そして、このような構成によれば、タイムサービス実施施設提示手段により、現在の時刻がタイムサービスの実施時間内となるようなタイムサービスが実施される施設を、現時該当施設の絞り込み検索およびその検索結果の表示によってユーザに提示することができるので、ユーザが、現在タイムサービスが実施されている施設を積極的に検索して把握することができる。
【００２６】
さらにまた、前記地図データ記憶手段に記憶された前記施設情報に基づいて、前記施設の所定の属性に関する設定された検索条件を満足する施設を検索する施設検索手段と、この施設検索手段の検索結果を表示部に表示する施設検索結果表示手段と、前記施設検索手段によって検索された施設への到着予想時刻を算出する到着予想時刻算出手段と、前記施設検索手段に前記検索条件を満足する施設の検索結果に対する絞り込み検索を行わせるための絞り込み検索条件を設定可能とされた絞り込み検索条件設定手段とを備え、前記絞り込み検索条件には、到着予想時刻が前記タイムサービスの実施時間内となる施設である到着時該当施設を絞り込む旨の絞り込み検索条件が含まれており、前記施設検索手段および前記施設検索結果表示手段は、前記絞り込み検索条件設定手段によって前記到着時該当施設を絞り込む旨の絞り込み検索条件が設定された場合には、前記タイムサービス実施施設提示手段として機能し、前記到着予想時刻算出手段によって算出された前記到着予想時刻と、前記地図データ記憶手段に記憶された前記施設情報と、前記タイムサービス情報記憶手段に記憶された前記タイムサービス情報とに基づいて前記到着時該当施設を絞り込み検索し、絞り込み検索された前記到着時該当施設の検索結果を表示することにより、前記所定の時刻としての前記到着予想時刻が前記タイムサービスの実施時間内となるような前記タイムサービスが実施される施設をユーザに提示してもよい。
【００２７】
そして、このような構成によれば、タイムサービス実施施設提示手段により、到着予想時刻がタイムサービスの実施時間内となるようなタイムサービスが実施される施設を、到着時該当施設の絞り込み検索およびその検索結果の表示によってユーザに提示することができるので、ユーザが、到着予想時刻にタイムサービスが実施されている施設を積極的に検索して把握することができる。
【００２８】
また、前記タイムサービス情報を、このタイムサービス情報に対応する施設を特定可能な状態で配信する配信サーバに接続可能とされ、前記配信サーバとの接続状態において、前記配信サーバから配信される前記タイムサービス情報を取得するタイムサービス情報取得手段と、このタイムサービス情報取得手段によって取得された前記タイムサービス情報を、前記タイムサービスが実施される施設についての前記施設情報と対応した状態で前記タイムサービス情報記憶手段に記録するタイムサービス情報記録手段とを備えるようにしてもよい。
【００２９】
そして、このような構成によれば、タイムサービス情報を配信サーバから取得することができるので、最新のタイムサービス情報を用いてタイムサービスが実施される施設をユーザに提示することができる。
【００３０】
さらに、前記タイムサービス情報記憶手段は、前記地図データ記憶手段と同一の記憶手段とされており、前記タイムサービス情報は、前記地図データの一部を構成していてもよい。
【００３１】
そして、このような構成によれば、部品点数を削減して装置の小型化を図ることができる。
【発明の効果】
【００３２】
本発明によれば、タイムサービスが実施される施設を把握することができ、ひいては、所望のタイムサービスを受けることができる可能性を高めることができる。
【図面の簡単な説明】
【００３３】
【図１】本発明に係る車載用ナビゲーション装置の実施形態を示すハードウェア構成図
【図２】本発明に係る車載用ナビゲーション装置の実施形態において、施設情報およびタイムサービス情報を示す概念図
【図３】本発明に係る車載用ナビゲーション装置の実施形態において、ナビＣＰＵの詳細な構成を示す機能ブロック図
【図４】本発明に係る車載用ナビゲーション装置の実施形態において、タイムサービスが実施される施設の第１の提示態様による提示の具体例を示す模式図
【図５】図４の変形例を示す模式図
【図６】本発明に係る車載用ナビゲーション装置の実施形態において、タイムサービスが実施される施設の第１の提示態様による提示動作の一例を示すフローチャート
【図７】本発明に係る車載用ナビゲーション装置の実施形態において、タイムサービスが実施される施設の第２の提示態様による提示の具体例を示す模式図
【図８】図７の変形例を示す模式図
【図９】本発明に係る車載用ナビゲーション装置の実施形態において、タイムサービスが実施される施設の第２の提示態様による提示動作の一例を示すフローチャート
【図１０】本発明に係る車載用ナビゲーション装置の実施形態において、タイムサービスが実施される施設の第３の提示態様による提示の具体例を示す模式図
【図１１】本発明に係る車載用ナビゲーション装置の実施形態において、タイムサービスが実施される施設の第４の提示態様による提示のために用いられる操作画面の一例を示す模式図
【図１２】本発明に係る車載用ナビゲーション装置の実施形態において、タイムサービスが実施される施設の第４の提示態様による提示動作の一例を示すフローチャート
【発明を実施するための形態】
【００３４】
以下、本発明に係る車載用ナビゲーション装置の実施形態について、図１乃至図１２を参照して説明する。
【００３５】
図１に示すように、本実施形態における車載用ナビゲーション装置１は、大別して、ナビゲーションメインユニット２と、このナビゲーションメインユニット２にそれぞれ接続されたＧＰＳレシーバ３、自律航法センサ４、入力操作部５、ディスプレイ６、スピーカ７および通信装置８とによって構成されている。
【００３６】
ＧＰＳレシーバ３は、図示しないＧＰＳ衛星から配信されるＧＰＳ情報（時刻や軌道に関する情報）を受信し、受信したＧＰＳ情報をナビゲーションメインユニット２側に出力するようになっている。
【００３７】
自律航法センサ４は、自車両の加速度、車速および自車方位等を検出し、検出結果をナビゲーションメインユニット２側に出力するようになっている。この自律航法センサ４は、ジャイロセンサ等からなるものであってもよい。
【００３８】
入力操作部５は、車載用ナビゲーション装置１に対する種々の入力操作に用いられるようになっている。この入力操作部５は、リモコン、ディスプレイ６のタッチパネル、リニアエンコーダまたはロータリエンコーダ等であってもよい。
【００３９】
通信装置８は、車載用ナビゲーション装置１をインターネットに接続することができるものであればよく、例えば、携帯電話機等であってもよい。
【００４０】
次に、ナビゲーションメインユニット２について詳述すると、図１に示すように、ナビゲーションメインユニット２は、システムバス１０にそれぞれ接続されたナビＣＰＵ１１、ＲＯＭ１２、ＲＡＭ１３およびハードディスクドライブ（ＨＤＤ）１４によって構成されている。
【００４１】
ここで、ナビＣＰＵ１１は、地図表示機能、自車位置算出機能、経路探索機能、経路誘導機能および施設検索機能等の車載用ナビゲーション装置１の各種の機能を実行するようになっている。
【００４２】
また、ＲＯＭ１２には、ナビＣＰＵ１１の実行プログラムが記憶されており、ナビＣＰＵ１１は、この実行プログラムを実行することによって車載用ナビゲーション装置１の機能を実行するようになっている。
【００４３】
さらに、ＲＡＭ１３は、ナビＣＰＵ１１による処理結果等のデータの一時的な保存等に用いられるようになっている。
【００４４】
さらにまた、ハードディスクドライブ１４は、地図データ記憶手段として機能するようになっており、図２に示すように、ハードディスクドライブ１４には、施設の所定の属性を示す施設情報を含む地図データが記憶されている。ただし、本実施形態において、前記施設情報は、施設のタイムサービスに関する情報を除いた情報とされている。具体的には、図２には、複数の施設（施設Ａ、施設Ｂ、施設Ｃ・・・）ごとに図示しない個別の識別コードが付与されて管理された各施設のそれぞれの施設情報として、各施設の名称、住所、電話番号およびジャンルの各属性を示す施設情報が示されている。なお、図示はしないが、地図データには、道路データ（リンク、ノード、セグメントおよび形状補間点等）や背景データ（点、ポリライン、ポリゴンおよびテキスト等）等のデータも含まれている。
【００４５】
ここで、タイムサービスとは、デパートにおいて実施されるタイムセールやレストランにおいて実施されるランチタイムサービス等の各種の施設において通常の営業時間内に時間を限定して実施されるサービスをいうものとする（以下、同様）。
【００４６】
また、本実施形態において、ハードディスクドライブ１４は、タイムサービス情報記憶手段としても機能するようになっている。すなわち、図２に示すように、ハードディスクドライブ１４には、タイムサービスが実施される施設についてのタイムサービスに関する情報であって、少なくともタイムサービスの実施時間（すなわち、タイムサービスの開始時刻から終了時刻までの時間）を示す情報であるタイムサービス情報が、当該タイムサービスが実施される施設についての前記施設情報と対応した状態で記憶されている。
【００４７】
図２においては、施設Ａおよび施設Ｃがタイムサービスが実施される施設であり、これらの施設は、その施設情報とそのタイムサービス情報とが互いに対応する識別コードを付与されること等によって互いに対応付けられた（関連付けられた）状態で地図データの一部としてハードディスクドライブ１４に記憶されている。
【００４８】
また、図２におけるタイムサービス情報は、タイムサービスの実施時間（以下、タイムサービス実施時間と称する）とともにタイムサービスのサービス内容を示す情報とされている。なお、図２における施設Ｃのタイムサービス情報に示すように、前記タイムサービス情報に示される前記タイムサービス実施時間は、タイムサービスの実施期間（すなわち、前記タイムサービスの開始年月日から終了年月日までの期間）をともなうものであってもよい。この場合には、期間限定で前記タイムサービス実施時間内にタイムサービスが実施されることになる。
【００４９】
このようなタイムサービス情報は、地図データの作成時あるいは更新時に地図データに組み込まれる場合もあるし、後述のように、配信サーバ７３（図１参照）から配信されて地図データに組み込まれる場合もある。
【００５０】
次に、ナビＣＰＵ１１について詳述すると、図３に示すように、ナビＣＰＵ１１は、その機能ブロックの１つとしての自車位置算出部１７を有しており、この自車位置算出部１７には、ＧＰＳレシーバ３から出力されたＧＰＳ情報および自律航法センサ４から出力された検出結果が入力されるようになっている。そして、自車位置算出部１７は、ＧＰＳレシーバ３側から入力されたＧＰＳ情報に基づいて、自車位置を絶対座標として算出する衛星航法を行うようになっている。また、自車位置算出部１７は、自律航法センサ４側から入力された検出結果に基づいて、自車位置を前回の測位位置からの変化分である相対位置として算出する自律航法を行うようになっている。さらに、自車位置算出部１７は、ハードディスクドライブ１４に記憶されている地図データを用いることによって、衛星航法または自律航法によって算出された自車位置を地図データにおける該当する道路上の位置に補正するマップマッチング処理を行うようになっている。そして、自車位置算出部１７は、マップマッチング処理が適正に行われた場合には、マップマッチング処理後の自車位置を最終的な算出結果とするようになっている。
【００５１】
また、図３に示すように、ナビＣＰＵ１１は、その機能ブロックの１つとして、地図表示手段としての地図描画部１８を有している。この地図描画部１８は、自車位置算出部１７の算出結果およびハードディスクドライブ１４に記憶されている地図データを用いることによって、所定領域の地図として、自車位置算出部１７によって算出された自車位置の周辺の領域を示す地図（以下、自車位置周辺地図と称する）を生成するようになっている。そして、地図描画部１８は、生成された自車位置周辺地図をディスプレイ６に表示するようになっている。
【００５２】
さらに、図３に示すように、ナビＣＰＵ１１は、その機能ブロックの１つとして、目的地設定手段としての目的地設定部１９を有しており、この目的地設定部１９は、ディスプレイ６にナビゲーションの目的地を設定するための目的地設定用の操作画面を表示した上で、この操作画面に対するユーザの入力操作部５を用いた入力操作に応じた目的地を設定するようになっている。
【００５３】
さらにまた、図３に示すように、ナビＣＰＵ１１は、その機能ブロックの１つとしての経路探索部２０を有しており、この経路探索部２０は、ハードディスクドライブ１４に記憶されている地図データを用いることによって、自車位置算出部１７によって算出された自車位置から目的地設定部１９によって設定された目的地までの経路（例えば、推奨経路）を探索するルート計算を行うようになっている。
【００５４】
また、図３に示すように、ナビＣＰＵ１１は、その機能ブロックの１つとして、経路誘導手段としての経路誘導部２１を有しており、この経路誘導部２１は、経路探索部２０によって探索された経路に沿って自車両を目的地へと誘導する経路誘導（換言すればルート案内）を行うようになっている。この経路誘導は、例えば、ディスプレイ６に交差点拡大図を表示することや、地図描画部１８によってディスプレイ６に表示された地図上に、経路探索部２０によって探索された経路の画像を重畳表示すること、あるいは、スピーカ７を介して交差点右左折案内用の音声を出力すること等によって行われるようになっている。
【００５５】
さらに、図３に示すように、ナビＣＰＵ１１は、その機能ブロックの１つとして、タイムサービス実施施設提示手段としてのタイムサービス実施施設提示部２２を有している。このタイムサービス実施施設提示部２２は、ハードディスクドライブ１４に記憶されたタイムサービスが実施される施設についての前記施設情報と当該施設についての前記タイムサービス情報とに基づいて、所定の時刻または所定の時間がタイムサービス実施時間内となるようなタイムサービスが実施される施設をユーザに提示するようになっている。
【００５６】
このタイムサービス実施施設提示部２２は、複数の提示態様によってタイムサービスが実施される施設をユーザに提示するようになっている。以下、これら複数の提示態様について、各提示態様による提示を具現化するための構成とともに説明する。
【００５７】
（第１の提示態様）
タイムサービス実施施設提示部２２による第１の提示態様は、地図上のアイコン（ランドマーク）の表示態様の制御によって、所定の時刻としての現在の時刻がタイムサービス実施時間内となるようなタイムサービスが実施される施設をユーザに提示する態様である。
【００５８】
この第１の提示態様による提示を具現化するための構成として、図３に示すように、ナビＣＰＵ１１は、その機能ブロックの１つとして、施設アイコン表示手段としての施設アイコン描画部２３を有している。この施設アイコン描画部２３は、ハードディスクドライブ１４に記憶された前記施設情報に基づいて、地図描画部１８によって表示される前記自車位置周辺地図上に、この自車位置周辺地図の領域内（以下、地図領域内と称する）に存在する施設を示すアイコンを重畳表示するようになっている。
【００５９】
また、図３に示すように、ナビＣＰＵ１１は、その機能ブロックの１つとして、現在時刻取得手段としての現在時刻取得部２４を有しており、この現在時刻取得部２４は、現在の時刻を継続的に取得するようになっている。なお、現在時刻取得部２４によって取得される現在の時刻は、年月日をともなう時刻であってもよい。また、現在時刻取得部２４は、例えば、ＧＰＳレシーバ３によって受信されたＧＰＳ情報や自車両に搭載されたラジオの時報等から現在の時刻を取得するようにしてもよい。
【００６０】
さらに、図３に示すように、タイムサービス実施施設提示部２２は、その機能ブロックの１つとして、地図領域内該当施設抽出手段としての地図領域内該当施設抽出部２５を有している。この地図領域内該当施設抽出部２５は、ハードディスクドライブ１４に記憶された前記地図領域内に存在する施設についての前記施設情報と前記タイムサービス情報とに基づいて、前記地図領域内に存在する施設の中から当該地図領域内に存在する施設のうちのタイムサービスが実施される施設である地図領域内該当施設を抽出するようになっている。具体的には、前記地図領域内に存在する施設のうち、前記施設情報に対応する前記タイムサービス情報がハードディスクドライブ１４に記憶されているような施設が、前記地図領域内該当施設として抽出されることになる。
【００６１】
さらにまた、図３に示すように、タイムサービス実施施設提示部２２は、その機能ブロックの１つとして、地図領域内該当施設現時実施判定手段としての地図領域内該当施設現時実施判定部２６を有している。この地図領域内該当施設現時実施判定部２６は、現在時刻取得部２４によって取得された現在の時刻と、前記地図領域内該当施設についての前記タイムサービス情報とに基づいて、地図領域内該当施設抽出部２５によって抽出された前記地図領域内該当施設に対して、現在タイムサービスが実施されているか否かの判定を行うようになっている。具体的には、前記タイムサービス情報に示されるタイムサービス実施時間内に現在時刻取得部２４によって取得された現在の時刻が含まれるような前記地図領域内該当施設については、地図領域内該当施設現時実施判定部２６によって肯定的な判定結果が得られるようになっている。一方、前記タイムサービス情報に示されるタイムサービス実施時間内に現在時刻取得部２４によって取得された現在の時刻が含まれないような前記地図領域内該当施設については、地図領域内該当施設現時実施判定部２６によって否定的な判定結果が得られるようになっている。
【００６２】
なお、このとき、前記タイムサービス情報に示される前記タイムサービス実施時間がタイムサービスの実施期間をともなうような前記地図領域内該当施設については、当該実施期間を加味した前記タイムサービス実施時間内に、年月日をともなう現在の時刻が含まれる場合に、地図領域内該当施設現時実施判定部２６によって肯定的な判定結果が得られることになる。
【００６３】
また、図３に示すように、タイムサービス実施施設提示部２２は、その機能ブロックの１つとして、施設アイコン表示制御手段としての施設アイコン描画制御部２７を有している。この施設アイコン描画制御部２７は、地図領域内該当施設現時実施判定部２６の判定結果が肯定的となる前記地図領域内該当施設についての前記アイコンの表示態様を、当該判定結果が否定的となる前記地図領域内該当施設についての前記アイコンの表示態様および前記地図領域内該当施設以外の前記地図領域内に存在する施設についての前記アイコンの表示態様と異ならせるように施設アイコン描画部２３を制御するようになっている。具体的には、施設アイコン描画制御部２７は、地図領域内該当施設現時実施判定部２６の判定結果が肯定的となる前記地図領域内該当施設についての前記アイコンの表示態様が、ユーザの視覚に訴えるような特殊な（もしくは強調された）表示態様となるように施設アイコン描画部２３を制御するようになっている。また、施設アイコン描画制御部２７は、地図領域内該当施設現時実施判定部２６の判定結果が否定的となる前記地図領域内該当施設についての前記アイコンの表示態様および前記地図領域内該当施設以外の前記地図領域内に存在する施設についての前記アイコンの表示態様が、通常の表示態様となるように施設アイコン描画部２３を制御するようになっている。
【００６４】
そして、第１の提示態様において、タイムサービス実施施設提示部２２は、現在の時刻がタイムサービス実施時間内となるようなタイムサービスが実施される施設を、地図領域内該当施設現時実施判定部２６の判定結果が肯定的となる前記地図領域内該当施設についての施設アイコン描画制御部２７の前記制御にしたがった表示態様での施設アイコン描画部２３による前記アイコンの表示によってユーザに提示するようになっている。
【００６５】
ここで、図４は、このような第１の提示態様の具体例を示したものである。図４においては、自車位置周辺地図２９上に、前記地図領域内に存在する施設を示すアイコン３０が重畳表示されている。ここで、図４に示される各アイコン３０のうち、地図領域内該当施設現時実施判定部２６の判定結果が肯定的となる前記地図領域内該当施設についてのアイコン３０は、施設アイコン描画制御部２７による施設アイコン描画部２３の制御によって、外周に縁取り３０ａが施された特殊な表示態様で表示されている。一方、地図領域内該当施設現時実施判定部２６の判定結果が否定的となる前記地図領域内該当施設についてのアイコン３０および前記地図領域内該当施設以外の前記地図領域内に存在する施設についてのアイコン３０は、施設アイコン描画制御部２７による施設アイコン描画部２３の制御によって、外周に縁取り３０ａが施されていない通常の表示態様で表示されている。
【００６６】
これにより、ユーザは、縁取り３０ａが施されたアイコン３０に対応する施設において現在タイムサービスが行われていることを迅速に把握することができる。このとき、ナビＣＰＵ１１は、縁取り３０ａが施されたアイコン３０に対応する施設において現在タイムサービスが実施されていることを示すメッセージを表示または音声案内するようにしてもよい。
【００６７】
なお、施設アイコン描画制御部２７は、縁取り３０ａを施すこと以外の特殊な表示態様で地図領域内該当施設現時実施判定部２６の判定結果が肯定的となる前記地図領域内該当施についての前記アイコンが表示されるように施設アイコン描画部２３を制御してもよい。縁取り３０ａ以外の特殊な表示態様の一例としては、図５に示すように、地図領域内該当施設現時実施判定部２６の判定結果が肯定的となる前記地図領域内該当施についてのアイコン３０を点滅表示させることが考えられる。
【００６８】
次に、この第１の提示態様による提示動作の一例について説明する。
【００６９】
第１の提示態様においては、まず、図６のステップ１（ＳＴ１）に示すように、地図領域内該当施設抽出部２５により、入力操作部５の操作によって前記自車位置周辺地図の地図表示の指示があったか否かを判定し、指示があった場合にはステップ２（ＳＴ２）に進み、指示がなかった場合には処理を終了する。
【００７０】
次いで、ステップ２（ＳＴ２）において、地図領域内該当施設抽出部２５により、前記自車位置周辺地図上に前記アイコンを表示するような動作モードの設定が施設アイコン描画部２３に対してなされているか否かを判定し、当該設定がなされている場合にはステップ３（ＳＴ３）に進み、当該設定がなされていない場合には処理を終了する。なお、地図上にアイコンを表示するような動作モードの設定は、入力操作部５を用いた当該動作モードの設定画面（図示せず）に対する入力操作にしたがってナビＣＰＵ１１が行うようにすればよい。
【００７１】
次いで、ステップ３（ＳＴ３）において、地図領域内該当施設抽出部２５により、ハードディスクドライブ１４に記憶されている前記地図領域内に存在する施設についての前記施設情報を取得する。このとき、地図領域内該当施設抽出部２５は、地図描画部１８が前記自車位置周辺地図を表示するためにハードディスクドライブ１４から読み出してＲＡＭ１３に一時的に保存した地図データに対応する前記施設情報を、前記地図領域内に存在する施設についての前記施設情報としてＲＡＭ１３から取得するようにしてもよい。
【００７２】
次いで、ステップ４（ＳＴ４）において、地図領域内該当施設抽出部２５により、前記タイムサービス情報をハードディスクドライブ１４から読み出す。
【００７３】
次いで、ステップ５（ＳＴ５）において、地図領域内該当施設抽出部２５により、ステップ３（ＳＴ３）において取得された前記施設情報とステップ４（ＳＴ４）において読み出された前記タイムサービス情報とを用いて、前記地図領域内該当施設を抽出する。具体的には、前記地図領域内に存在する施設に対して、各施設ごとに前記タイムサービス情報の有無を判定し、前記タイムサービス情報を有する施設については、前記地図領域内該当施設であると判定してステップ６（ＳＴ６）に進み、前記タイムサービス情報を有しない施設については、前記地図領域内該当施設ではないと判定してステップ９（ＳＴ９）に進む。
【００７４】
ステップ６（ＳＴ６）においては、地図領域内該当施設現時実施判定部２６により、現在時刻取得部２４によって取得された現在の時刻を現在時刻取得部２４から取得してステップ７（ＳＴ７）に進む。
【００７５】
一方、ステップ９（ＳＴ９）においては、施設アイコン描画制御部２７による制御の下で、施設アイコン描画部２３により、前記自車位置周辺地図上に通常の表示態様での前記アイコンの表示を行って処理を終了する。
【００７６】
次いで、ステップ７（ＳＴ７）において、地図領域内該当施設現時実施判定部２６により、ステップ５（ＳＴ５）において抽出された前記地図領域内該当施設についてのステップ４（ＳＴ４）において読み出された前記タイムサービス情報と、ステップ６（ＳＴ６）において取得された現在の時刻とに基づいて、前記地図領域内該当施設に対して、現在タイムサービスが実施されているか否かの判定を行う。このステップ７（ＳＴ７）における判定は、ステップ５（ＳＴ５）において抽出された前記地図領域内該当施設が複数存在する場合には、これら複数の前記地図領域内該当施設ごとに行う。そして、このステップ７（ＳＴ７）において肯定的な判定結果が得られた場合にはステップ８（ＳＴ８）に進み、否定的な判定結果が得られた場合にはステップ９（ＳＴ９）に進む。
【００７７】
次いで、ステップ８（ＳＴ８）においては、施設アイコン描画制御部２７による制御の下で、施設アイコン描画部２３により、前記自車位置周辺地図上に図４または図５に示したような特殊な表示態様での前記アイコンの重畳表示を行って処理を終了する。
【００７８】
（第２の提示態様）
タイムサービス実施施設提示部２２による第２の提示態様は、主として、施設の検索結果の強調表示によって、所定の時刻としての現在の時刻または到着予想時刻がタイムサービス実施時間内となるようなタイムサービスが実施される施設をユーザに提示する態様である。
【００７９】
この第２の提示態様による提示を具現化するための構成として、図３に示すように、ナビＣＰＵ１１は、その機能ブロックの１つとして、施設検索条件設定部３２を有しており、この施設検索条件設定部３２は、施設の検索条件として、前記施設情報に示される施設の属性（タイムサービスに関する属性を除く施設の所定の属性）に関する検索条件（例えば、名称、住所、電話番号またはジャンル等）を設定するようになっている。この検索条件の設定は、目的地設定部１９によって表示された目的地設定用の操作画面（目的地としての施設の検索条件を入力可能な画面構成の操作画面）に対する入力操作部５を用いた入力操作にしたがって設定されるようにしてもよい。
【００８０】
また、第２の提示態様による提示の具現化には、前述した現在時刻取得部２４が用いられるようになっている。
【００８１】
さらに、図３に示すように、ナビＣＰＵ１１は、その機能ブロックの１つとして、施設検索手段としての施設検索部３３を有しており、この施設検索部３３は、ハードディスクドライブ１４に記憶された前記施設情報に基づいて、施設検索条件設定部３２によって設定された前記施設情報に示される施設の属性に関する検索条件を満足する施設を検索するようになっている。
【００８２】
さらにまた、図３に示すように、ナビＣＰＵ１１は、その機能ブロックの１つとして、施設検索結果表示手段としての施設検索結果描画部３４を有しており、この施設検索結果描画部３４は、施設検索部３３による施設の検索結果をディスプレイ６に表示するようになっている。
【００８３】
また、図３に示すように、タイムサービス実施施設提示部２２は、その機能ブロックの１つとして、検索施設内該当施設抽出手段としての検索施設内該当施設抽出部３５を有している。この検索施設内該当施設抽出部３５は、施設検索部３３によって検索された施設の中から当該検索された施設のうちのタイムサービスが実施される施設である検索施設内該当施設を抽出するようになっている。この検索施設内該当施設の抽出は、ハードディスクドライブ１４に記憶された前記施設情報のうちの施設検索部３３によって検索された施設についての前記施設情報と前記タイムサービス情報とに基づいて行われるようになっている。具体的には、施設検索部３３によって検索された施設のうち、前記施設情報に対応する前記タイムサービス情報がハードディスクドライブ１４に記憶されている施設が検索施設内該当施設として抽出されることになる。
【００８４】
さらに、図３に示すように、タイムサービス実施施設提示部２２は、その機能ブロックの１つとして、検索施設内該当施設現時実施判定手段としての検索施設内該当施設現時実施判定部３６を有している。この検索施設内該当施設現時実施判定部３６は、現在時刻取得部２４によって取得された現在の時刻と、検索施設内該当施設抽出部３５によって抽出された前記検索施設内該当施設についての前記タイムサービス情報とに基づいて、前記検索施設内該当施設に対して、現在タイムサービスが実施されているか否かの判定を行うようになっている。具体的には、前記タイムサービス情報に示されるタイムサービス実施時間内に現在時刻取得部２４によって取得された現在の時刻が含まれるような前記検索施設内該当施設については、検索施設内該当施設現時実施判定部３６によって肯定的な判定結果が得られるようになっている。一方、前記タイムサービス情報に示されるタイムサービス実施時間内に現在時刻取得部２４によって取得された現在の時刻が含まれないような前記検索施設内該当施設については、検索施設内該当施設現時実施判定部３６によって否定的な判定結果が得られるようになっている。
【００８５】
なお、このとき、前記タイムサービス情報に示される前記タイムサービス実施時間がタイムサービスの実施期間をともなうような前記検索施設内該当施設については、当該実施期間を加味した前記タイムサービス実施時間内に、年月日をともなう現在の時刻が含まれる場合に、検索施設内該当施設現時実施判定部３６によって肯定的な判定結果が得られることになる。
【００８６】
さらにまた、図３に示すように、タイムサービス実施施設提示部２２は、その機能ブロックの１つとして、現時実施該当施設強調表示制御手段としての現時実施該当施設強調描画制御部３７を有している。この現時実施該当施設強調描画制御部３７は、検索施設内該当施設現時実施判定部３６の判定結果が肯定的となる前記検索施設内該当施設についての検索結果を強調表示するように施設検索結果描画部３４を制御するようになっている。
【００８７】
そして、第２の提示態様において、タイムサービス実施施設提示部２２は、現在の時刻が前記タイムサービス実施時間内となるようなタイムサービスが実施される施設を、検索施設内該当施設現時実施判定部３６の判定結果が肯定的となる前記検索施設内該当施設についての現時実施該当施設強調描画制御部３７の制御にしたがった施設検索結果描画部３４による検索結果の強調表示によってユーザに提示するようになっている。
【００８８】
ここで、図７は、このような第２の提示態様の具体例を示したものである。図７には、施設検索結果描画部３４によってディスプレイ６に表示される施設の検索結果の一例としての検索結果一覧表示画面４０が示されている。図７に示すように、検索結果一覧表示画面４０には、施設検索部３３によって検索された施設（図７においては施設名）をそれぞれ示す項目４１が、図７における上側（先頭側）から下側に向かって所定の並び順で一覧表示されている。なお、検索結果一覧表示画面４０上には、施設検索部３３によって検索された施設のうち、先頭側の数件の施設の項目４１のみが表示されており、末尾側の施設は、入力操作部５を用いたスクロールバー４２の操作によって表示することができるようになっている。図７に示すように、検索結果一覧表示画面４０における各項目４１のうち、検索施設内該当施設現時実施判定部３６の判定結果が肯定的となる前記検索施設内該当施設を示す項目４１については、現時実施該当施設強調描画制御部３７による施設検索結果描画部３４の制御により、外周に縁取り４１ａが施された状態で表示（強調表示）されている。一方、検索結果一覧表示画面４０における各項目４１のうち、検索施設内該当施設現時実施判定部３６の判定結果が肯定的となる前記検索施設内該当施設以外の施設を示す項目４１については、縁取り４１ａが施されていない通常の状態で表示されている。
【００８９】
これにより、ユーザは、縁取り４１ａが施された項目４１に対応する施設において現在タイムサービスが行われていることを迅速に把握することができる。なお、このとき、ナビＣＰＵ１１は、縁取り４１ａが施された項目４１に対応する施設において現在タイムサービスが実施されていることを示すメッセージを表示または音声案内するようにしてもよい。
【００９０】
また、現時実施該当施設強調描画制御部３７は、縁取り４１ａを施すこと以外の態様で検索施設内該当施設現時実施判定部３６の判定結果が肯定的となる前記検索施設内該当施設を示す項目４１を強調表示するようにしてもよい。
【００９１】
なお、図７に示すように、検索結果一覧表示画面４０には、項目４１の一覧以外にも、自車位置周辺地図２９、項目４１の一覧の並び順の変更（すなわち並び替え）を指示するための操作ボタン（以下、並び替え指示ボタンと称する）４３および図７の検索結果に対する絞り込み検索を指示するための操作ボタン（以下、絞り込み検索指示ボタンと称する）４４が表示されている。
【００９２】
図３に戻って、更に、タイムサービス実施施設提示部２２は、その機能ブロックの１つとして、並び替え手段としてのソート部４７を有している。このソート部４７は、検索結果一覧表示画面４０において並び替え指示ボタン４３が入力操作部５によって操作されることにともなって、項目４１の並び順を選択するための並び順選択用の操作画面（図示せず）をディスプレイ６に表示するようになっている。このとき、ソート部４７は、この並び順選択用の操作画面において選択可能な並び順の１つに、現在タイムサービスが実施されている施設を先頭側に並べる旨の並び順を含ませることによって、検索施設内該当施設現時実施判定部３６の判定結果が肯定的となる前記検索施設内該当施設についての検索結果を一覧の先頭側に表示する旨のユーザの指示を許容するようになっている。そして、ソート部４７は、並び順選択用の操作画面において現在タイムサービスが実施されている施設を先頭側に並べる旨の並び順が選択された場合には、この並び順にしたがった項目４１の並び替えを実行するようになっている。この並び替えの実行により、図７に示した検索結果一覧表示画面４０は、図８に示すような強調表示された項目４１（縁取り４１ａが施された項目４１）が一覧の先頭側に並べられた画面４０に変更されることになる。
【００９３】
図３に戻って、更に、ナビＣＰＵ１１は、その機能ブロックの１つとして、到着予想時刻算出手段としての到着予想時刻算出部４８を有しており、この到着予想時刻算出部４８は、施設検索部３３によって施設が検索された際に、検索された施設ごとに、施設への到着予想時刻を算出するようになっている。なお、この到着予想時刻は、年月日をともなうものであってもよい。また、到着予想時刻算出部４８は、公知の種々の算出方法を用いて到着予想時刻を算出してもよい。例えば、到着予想時刻算出部４８は、施設検索部３３によって検索された各施設までの経路を経路探索部２１に探索させ、その探索結果と初期設定またはユーザによる設定によって予め設定された道路種別（高速道路、一般道等）ごとの自車両の走行速度の情報とを用いて到着予想時刻を算出するようにしてもよい。この場合には、施設までの経路における各道路種別ごとに分類される距離を各道路種別ごとの設定された走行速度でそれぞれ除した値の合算値が当該経路の所要走行時間となるため、この所要走行時間を現在時刻取得部２４によって取得された現在の時刻に加算することによって到着予想時刻が求まることになる。なお、到着予想時刻算出部４８は、算出された到着予想時刻を、この到着予想時刻に対応する施設と識別コードの付与等によって互いに対応付けた状態でＲＡＭ１３に保存するようにしてもよい。
【００９４】
また、図３に示すように、タイムサービス実施施設提示部２２は、その機能ブロックの１つとして、検索施設内該当施設到着時実施判定手段としての検索施設内該当施設到着時実施判定部４９を有している。この検索施設内該当施設到着時実施判定部４９は、検索施設内該当施設抽出部３５によって抽出された前記検索施設内該当施設についての到着予想時刻算出部４８によって算出された前記到着予想時刻と、当該検索施設内該当施設についての前記タイムサービス情報とに基づいて、当該検索施設内該当施設に対して、その到着予想時刻においてタイムサービスが実施されているか否かの判定を行うようになっている。具体的には、前記タイムサービス情報に示されるタイムサービス実施時間内に到着予想時刻算出部４８によって算出された前記到着予想時刻が含まれるような前記検索施設内該当施設については、検索施設内該当施設到着時実施判定部４９によって肯定的な判定結果が得られるようになっている。一方、前記タイムサービス情報に示されるタイムサービス実施時間内に到着予想時刻算出部４８によって取得された前記到着予想時刻が含まれないような前記検索施設内該当施設については、検索施設内該当施設到着時実施判定部４９によって否定的な判定結果が得られるようになっている。
【００９５】
なお、このとき、前記タイムサービス情報に示される前記タイムサービス実施時間がタイムサービスの実施期間をともなうような前記検索施設内該当施設については、当該実施期間を加味した前記タイムサービス実施時間内に、年月日をともなう到着予想時刻が含まれる場合に、検索施設内該当施設到着時実施判定部４９によって肯定的な判定結果が得られることになる。
【００９６】
さらに、図３に示すように、タイムサービス実施施設提示部２２は、その機能ブロックの１つとして、到着時実施該当施設強調表示制御手段としての到着時実施該当施設強調描画制御部５０を有している。この到着時実施該当施設強調描画制御部５０は、検索施設内該当施設到着時実施判定部４９の判定結果が肯定的となる前記検索施設内該当施設についての検索結果を強調表示するように施設検索結果描画部３４を制御するようになっている。
【００９７】
そして、第２の提示態様において、タイムサービス実施施設提示部２２は、到着予想時刻がタイムサービス実施時間内となるようなタイムサービスが実施される施設を、検索施設内該当施設到着時実施判定部４９の判定結果が肯定的となる前記検索施設内該当施設についての到着時実施該当施設強調描画制御部５０の制御にしたがった施設検索結果描画部３４による検索結果の強調表示によってユーザに提示するようになっている。
【００９８】
なお、この到着予想時刻がタイムサービス実施時間内となる前記検索施設内該当施設についての検索結果の強調表示は、図示はしないが、図７に示したような現在の時刻がタイムサービス実施時間内となる前記検索施設内該当施設についての検索結果の強調表示と同様の方法によって行われるようになっている。
【００９９】
また、ソート部４７は、前記並び順選択用の操作画面において選択可能な並び順の１つに、到着予想時刻にタイムサービスが実施されている施設を先頭側に並べる旨の並び順を含ませることによって、検索施設内該当施設到着時実施判定部４９の判定結果が肯定的となる前記検索施設内該当施設についての検索結果を一覧の先頭側に表示する旨のユーザの指示を許容するようになっている。そして、ソート部４７は、並び順選択用の操作画面において到着予想時刻にタイムサービスが実施されている施設を先頭側に並べる旨の並び順が選択された場合には、この並び順にしたがった検索結果の並び替えを実行するようになっている。
なお、現在の時刻がタイムサービス実施時間内となる前記検索施設内該当施設についての検索結果の強調表示と、到着予想時刻がタイムサービス実施時間内となる前記検索施設内該当施設についての検索結果の強調表示とは、同時に実行されるものであってもよいし、または、デフォルトもしくはユーザの設定によって選択的に実行されるものであってもよい。ただし、同時に実行する場合には、現在または到着予想時刻のいずれにタイムサービスが実施されているのかをユーザが識別することができるように、現在タイムサービスが実施されている施設と到着予想時刻にタイムサービスが実施されている施設とを互いに異なる表示方法（縁取り４１ａの色を異ならせる等の方法）で強調表示することが望ましい。
【０１００】
また、現在の時刻または到着予想時刻がタイムサービス実施時間内となる前記検索施設内該当施設についての検索結果の強調表示は、図７に示したように施設検索結果描画部３４によって施設の検索結果が表示される当初から行われるものであってもよいし、あるいは、一旦施設の検索結果を表示した後の事後的な入力操作（強調表示する旨の指令を入力する操作）にしたがって行われるものであってもよい。
【０１０１】
さらに、図３に示すように、タイムサービス実施施設提示部２２は、その機能ブロックの１つとして、タイムサービス音声案内手段としてのタイムサービス音声案内部５１を有している。このタイムサービス音声案内部５１は、目的地設定部１９によって検索施設内該当施設到着時実施判定部４９の判定結果が肯定的となる前記検索施設内該当施設が目的地に設定された場合に、この設定された目的地までの経路誘導部２０による経路誘導の開始時に、当該目的地への到着予想時刻に当該目的地においてタイムサービスが実施されている旨を音声案内するようになっている。そして、タイムサービス実施施設提示部２２は、到着予想時刻がタイムサービス実施時間内となるようなタイムサービスが実施される施設を、タイムサービス音声案内部５１による音声案内によってユーザに提示するようになっている。なお、タイムサービス音声案内部５１による音声案内の内容は、例えば、「これより音声案内を開始します、目的地への到着予想時刻は１２時３０分で、この時間帯はランチタイムサービス中となっております」といった内容であってもよい。
【０１０２】
次に、この第２の提示態様による提示動作の一例について説明する。なお、以下の提示動作においては、現在の時刻がタイムサービス実施時間内となる前記検索施設内該当施設についての検索結果の強調表示と、到着予想時刻がタイムサービス実施時間内となる前記検索施設内該当施設についての検索結果の強調表示とが、デフォルトもしくはユーザの設定によって選択的に実行される構成が前提となっている。
【０１０３】
第２の提示態様においては、まず、図９のステップ１１（ＳＴ１１）に示すように、施設検索部３３により、施設検索条件設定部３２によって設定された前記施設情報に示される施設の属性に関する検索条件を満足する施設を、前記ハードディスクドライブ１４に記憶された前記施設情報を用いて検索する。
【０１０４】
次いで、図９のステップ１２（ＳＴ１２）において、検索施設内該当施設抽出部３５により、施設検索結果描画部３４の動作モードとして、前記検索施設内該当施設の検索結果の強調表示が設定されているか否かを判定し、設定されている場合にはステップ１３（ＳＴ１３）に進み、設定されていない場合にはステップ２２（ＳＴ２２）に進む。
【０１０５】
ステップ１３（ＳＴ１３）においては、検索施設内該当施設抽出部３５により、ハードディスクドライブ１４から前記タイムサービス情報を読み出す。
【０１０６】
一方、ステップ２２（ＳＴ２２）においては、施設検索結果描画部３４により、検索結果を通常の表示態様で表示して処理を終了する。
【０１０７】
次いで、ステップ１４（ＳＴ１４）において、検索施設内該当施設抽出部３５により、ステップ１１（ＳＴ１１）において検索された施設の前記施設情報と、ステップ１３（ＳＴ１３）において読み出された前記タイムサービス情報とを用いて、前記検索施設内該当施設を抽出する。具体的には、ステップ１１（ＳＴ１１）において検索された施設に対して、前記タイムサービス情報の有無を判定し、前記タイムサービス情報を有している施設については、前記検索施設内該当施設であると判定してステップ１５（ＳＴ１５）に進み、前記タイムサービス情報を有していない施設については、前記検索施設内該当施設ではないと判定してステップ２２（ＳＴ２２）に進む。
【０１０８】
次いで、ステップ１５（ＳＴ１５）において、検索施設内該当施設現時実施判定部３６により、ステップ１２（ＳＴ１２）において設定されていると判断された検索結果の強調表示の設定が、現在の時刻がタイムサービス実施時間内となる前記検索施設内該当施設に対するものであるか否かの判定を行う。そして、このステップ１５（ＳＴ１５）において肯定的な判定結果が得られた場合にはステップ１６（ＳＴ１６）に進み、否定的な判定結果が得られた場合にはステップ１９（ＳＴ１９）に進む。
【０１０９】
ステップ１６（ＳＴ１６）に進む場合には、後述するステップ１６（ＳＴ１６）からステップ１８（ＳＴ１８）までの一連の処理が行われることになる。一方、ステップ１９（ＳＴ１９）に進む場合には、後述するステップ１９（ＳＴ１９）からステップ２１（ＳＴ２１）までの一連の処理が行われることになる。なお、ステップ１９（ＳＴ１９）に進む場合には、検索施設内該当施設現時実施判定部３６により、ステップ１２（ＳＴ１２）において設定されていると判断された検索結果の強調表示の設定が、到着予想時刻がタイムサービス実施時間内となる前記検索施設内該当施設に対するものであるとみなされる。
【０１１０】
次に、ステップ１６（ＳＴ１６）からステップ１８（ＳＴ１８）までの一連の処理について説明すると、まず、ステップ１６（ＳＴ１６）において、検索施設内該当施設現時実施判定部３６により、現在時刻取得部２４によって取得された現在の時刻を現在時刻取得部２４から取得する。
【０１１１】
次いで、ステップ１７（ＳＴ１７）において、検索施設内該当施設現時実施判定部３６により、ステップ１４（ＳＴ１４）において抽出された前記検索施設内該当施設についてのステップ１３（ＳＴ１３）において読み出された前記タイムサービス情報と、ステップ１６（ＳＴ１６）において取得された現在の時刻とに基づいて、前記検索施設内該当施設に対して、現在タイムサービスが実施されているか否かの判定を行う。このステップ１７（ＳＴ１７）における判定は、ステップ１４（ＳＴ１４）において抽出された前記検索施設内該当施設が複数存在する場合には、これら複数の前記検索施設内該当施設ごとに行う。そして、このステップ１７（ＳＴ１７）において肯定的な判定結果が得られた場合にはステップ１８（ＳＴ１８）に進み、否定的な判定結果が得られた場合にはステップ２２（ＳＴ２２）に進む。
【０１１２】
次いで、ステップ１８（ＳＴ１８）において、現時実施該当施設強調描画制御部３７による施設検索結果描画部３４の制御により、図７に示したように、現在の時刻がタイムサービス実施時間内となる前記検索施設内該当施設の検索結果を強調表示して処理を終了する。
【０１１３】
次に、ステップ１９（ＳＴ１９）からステップ２１（ＳＴ２１）までの一連の処理について説明すると、まず、ステップ１９（ＳＴ１９）において、検索施設内該当施設到着時実施判定部４９により、ステップ１４（ＳＴ１４）において抽出された前記検索施設内該当施設についての到着予想時刻算出部４８によって算出された到着予想時刻を取得する。この到着予想時刻は、到着予想時刻算出部４８の算出結果がＲＡＭ１３に保存される場合には、ＲＡＭ１３から取得することになる。
【０１１４】
次いで、ステップ２０（ＳＴ２０）において、検索施設内該当施設到着時実施判定部４９により、ステップ１４（ＳＴ１４）における検索施設内該当施設抽出部３５の抽出結果と、ステップ１９（ＳＴ１９）において取得された前記検索施設内該当施設についての到着予想時刻とに基づいて、前記検索施設内該当施設に対して、到着予想時刻にタイムサービスが実施されているか否かの判定を行う。このステップ２０（ＳＴ２０）における判定は、ステップ１４（ＳＴ１４）において抽出された前記検索施設内該当施設が複数存在する場合には、これら複数の前記検索施設内該当施設ごとに行う。そして、このステップ２０（ＳＴ２０）において肯定的な判定結果が得られた場合にはステップ２１（ＳＴ２１）に進み、否定的な判定結果が得られた場合にはステップ２２（ＳＴ２２）に進む。
【０１１５】
次いで、ステップ２１（ＳＴ２１）において、到着時実施該当施設強調描画制御部５０による施設検索結果描画部３４の制御により、到着予想時刻がタイムサービス実施時間内となる前記検索施設内該当施設の検索結果を強調表示して処理を終了する。
【０１１６】
（第３の提示態様）
タイムサービス実施施設提示部２２による第３の提示態様は、タイムサービスが実施される施設を、そのジャンルおよび前記タイムサービス実施時間を特定して検索することを許容した上で、このようなジャンルおよび前記タイムサービス実施時間を特定した検索の結果としてタイムサービスが実施される施設をユーザに提示する態様である。
【０１１７】
この第３の提示態様による提示の具現化には、前述した目的地設定部１９、施設検索条件設定部３２、施設検索部３３および施設検索結果描画部３４が用いられるようになっている。
【０１１８】
すなわち、目的地設定部１９は、目的地となる施設の検索条件を入力可能とされた目的地設定用の操作画面として、タイムサービスが実施される施設のジャンルの条件および前記タイムサービス実施時間の条件を入力可能とされた操作画面をディスプレイ６に表示することができるようになっている。これにより、施設検索条件設定部３２によって設定可能とされた施設の検索条件には、タイムサービスが実施される施設のジャンルおよび前記タイムサービス実施時間が含まれるようになっている。
【０１１９】
施設検索条件設定部３２は、前記目的地設定用の操作画面に、施設の検索条件として、タイムサービスが実施される施設のジャンルおよび前記タイムサービス実施時間が入力された場合には、これらの入力事項を施設の検索条件に設定するようになっている。
【０１２０】
そして、施設検索部３３および施設検索結果描画部３４は、施設検索条件設定部３２によって前記ジャンルおよび前記タイムサービス実施時間の各検索条件が設定された場合には、タイムサービス実施施設提示部２２として機能するようになっている。すなわち、施設検索部３３は、ハードディスクドライブ１４に記憶された前記施設情報と前記タイムサービス情報とに基づいて、前記ジャンルおよび前記タイムサービス実施時間の各検索条件を満足する施設であるジャンル／実施時間該当施設を検索するようになっている。具体的には、施設検索部３３は、施設検索条件設定部３２によって設定されたジャンルに該当する施設であって、施設検索条件設定部３２によって設定された前記タイムサービス実施時間が、実際に前記タイムサービス実施時間内に含まれるような施設をジャンル／実施時間該当施設として検索するようになっている。例えば、施設検索条件設定部３２によって設定されたジャンルがデパート、前記タイムサービス実施時間が１１時から１４時までとした場合、実際のタイムサービス実施時間が１０時から１５時までとなっているデパートはジャンル／実施時間該当施設として検索されることになる。一方、その場合、実際のタイムサービス実施時間が１５時から１８時まで、あるいは、１３時から１５時までとなっているデパートや、実際のタイムサービス実施時間が１１時から１４時までとなっているデパート以外の施設はジャンル／実施時間該当施設として検索されないことになる。
【０１２１】
さらに、施設検索結果描画部３４は、施設検索部３３によって検索された前記ジャンル／実施時間該当施設の検索結果をディスプレイ６に表示するようになっている。
【０１２２】
これにより、前記所定の時間としての施設検索条件設定部３２によって設定された前記タイムサービス実施時間が実際に前記タイムサービス実施時間内となるようなタイムサービスが実施される施設を、検索結果としてユーザに提示するようになっている。
【０１２３】
ここで、図１０は、このような第３の提示態様の具体例を示したものである。まず、図１０のステップ３１（ＳＴ３１）は、目的地設定部１９によってディスプレイ６に表示される目的地設定用の操作画面の１つとしての目的地検索用初期画面５３を示している。この目的地検索用初期画面５３には、目的地の検索方法を選択するための複数種類の検索方法がそれぞれ表記された複数の操作ボタン５４が、入力操作部５を用いて選択的に操作可能な状態で表示されている。操作ボタン５４の１つには、目的地としてのタイムサービスが実施される施設の検索に移行するための「施設タイムサービス検索」と表記された操作ボタン５４が含まれている。次に、図１０のステップ３２（ＳＴ３２）は、目的地設定部１９によって表示される目的地設定用の操作画面の１つとしてのタイムサービス実施施設検索用ジャンル入力画面５５を示している。このタイムサービス実施施設検索用ジャンル入力画面５５は、ステップ３１（ＳＴ３１）の目的地検索用初期画面５３において「施設タイムサービス検索」と表記された操作ボタン５４が操作されることによって表示される画面となっている。このタイムサービス実施施設検索用ジャンル入力画面５５には、検索対象となるタイムサービスが実施される施設のジャンルの条件を入力するための複数種類のジャンルがそれぞれ表記された複数の操作ボタン５６が、入力操作部５を用いて選択的に操作可能な状態で表示されている。次に、図１０のステップ３３（ＳＴ３３）は、目的地設定部１９によって表示される目的地設定用の操作画面の１つとしてのタイムサービス実施施設検索用時間入力画面５７を示している。このタイムサービス実施施設検索用時間入力画面５７は、ステップ３２（ＳＴ３２）のタイムサービス実施施設検索用ジャンル入力画面５５においてジャンルの１つである「デパート」と表記された操作ボタン５６が操作されることによって表示される画面となっている。このタイムサービス実施施設検索用時間入力画面５７には、前記タイムサービス実施時間の条件として、タイムサービスの開始時刻とタイムサービスの終了時刻とを入力操作部５を用いて入力欄５８，５９に入力することが可能とされている。なお、ステップ３３（ＳＴ３３）においては、タイムサービスの開始時刻として１０時が入力され、タイムサービスの終了時刻として１４時が入力されている。次に、図１０のステップ３４（ＳＴ３４）は、施設検索結果描画部３４によってディスプレイ６に表示されるジャンル／実施時間該当施設検索結果表示画面６１を示している。このジャンル／実施時間該当施設検索結果表示画面６１は、ステップ３２（ＳＴ３２）に示したタイムサービス実施施設検索用ジャンル入力画面５５において入力されたジャンルの条件（デパート）と、ステップ３３（ＳＴ３３）に示したタイムサービス実施施設検索用時間入力画面５７において入力されたタイムサービス実施時間の条件（１０時から１４時まで）とを満足するようなタイムサービスが実施される施設の検索結果を示す画面となっている。このジャンル／実施時間該当施設検索結果表示画面６１には、ジャンル／実施時間該当施設の検索結果として、ジャンル／実施時間該当施設をそれぞれ示す項目６１が一覧表示されている。また、ジャンル／実施時間該当施設検索結果表示画面６１には、図７に示した検索結果一覧表示画面４０と同様に、自車位置周辺地図２９および絞り込み検索指示ボタン４４が表示されている。なお、前記タイムサービス情報に示される前記タイムサービス実施時間がタイムサービスの実施期間をともなうような施設については、当該実施期間を加味した前記タイムサービス実施時間内に、タイムサービス実施施設検索用時間入力画面５７に入力された時間が含まれる場合に、ジャンルの条件を具備することを前提としてジャンル／実施時間該当施設検索結果表示画面６１上に表示されることになる。
【０１２４】
このジャンル／実施時間該当施設検索結果表示画面６１は、目的地設定用の操作画面としての機能を有している。すなわち、ジャンル／実施時間該当施設検索結果表示画面６１は、各項目６１が入力操作部５を用いて選択可能となっており、選択された項目６１を目的地として設定することができるようになっている。また、ジャンル／実施時間該当施設検索結果表示画面６１には、画面６１に表示された検索結果に対して、さらに地域を限定した絞り込み検索を施設検索部３３に行わせるための指示を入力可能とされた操作ボタン６２が表示されている。
【０１２５】
なお、図示はしないが、ステップ３１（ＳＴ３１）に示した目的地検索用初期画面５３において、タイムサービスが実施される施設の検索以外の検索方法が選択された場合には、選択された検索方法による目的地としての施設の検索に移行することになる。このステップ３１（ＳＴ３１）の目的地検索用初期画面５３は、前述した第２の提示態様における施設の検索の際に用いられるようにしてもよい。
【０１２６】
（第４の提示態様）
タイムサービス実施施設提示部２２による第４の提示態様は、前記所定の時刻としての現在の時刻または到着予想時刻が前記タイムサービス実施時間内となるタイムサービスが実施される施設を、このような施設を絞り込み検索の条件とした絞り込み検索の検索結果としてユーザに提示する態様である。
【０１２７】
この第４の提示態様による提示の具現化には、前述した現在時刻取得部２４、施設検索部３３、施設検索結果描画部３４および到着予想時刻算出部４８が用いられるようになっている。
【０１２８】
さらに、第４の提示態様による提示を具現化するための構成として、図３に示すように、ナビＣＰＵ１１は、その機能ブロックの１つとして、絞り込み検索条件設定手段としての絞り込み検索条件設定部６４を有している。この絞り込み検索条件設定部６４は、施設検索部３３に前記施設情報に示される施設の属性に関する設定された検索条件を満足する施設の検索結果（現在の検索結果）に対して未設定の検索条件を用いた更なる絞り込み検索を行わせるための絞り込み検索条件を設定可能とされている。すなわち、第４の提示態様においては、図７に示したような検索結果一覧表示画面４０において絞り込み検索指示ボタン４４が操作された場合には、目的地設定部１９によって図１１に示すような絞り込み検索条件入力画面６７がディスプレイ６に表示されるようになっている。この絞り込み検索条件入力画面６７には、絞り込み検索方法を選択するための複数種類の絞り込み検索方法がそれぞれ表記された複数の操作ボタン６８が、入力操作部５を用いて選択的に操作可能な状態で表示されている。そして、絞り込み検索条件設定部６４は、施設検索部３３に対して、絞り込み検索条件入力画面６７において操作ボタン６８の操作によって入力された絞り込み検索条件を設定するようになっている。
【０１２９】
図１１に示すように、絞り込み検索条件入力画面６７には、絞り込み検索条件の１つとして、現在の時刻が前記タイムサービス実施時間内となるタイムサービスが実施される施設である現時該当施設を絞り込む旨の絞り込み検索条件を選択するための操作ボタン６８（「現在タイムサービスが実施されている施設」と表記されたもの）が含まれている。
【０１３０】
また、図１１に示すように、絞り込み検索条件入力画面６７には、絞り込み検索条件の１つとして、到着予想時刻が前記タイムサービス実施時間内となるタイムサービスが実施される施設である到着時該当施設を絞り込む旨の絞り込み検索条件を選択するための操作ボタン６８（「到着予想時刻にタイムサービスが実施されている施設」と表記されたもの）が含まれている。
【０１３１】
そして、施設検索部３３および施設検索結果描画部３４は、絞り込み検索条件設定部６４によって前記現時該当施設を絞り込む旨の絞り込み検索条件が設定された場合には、タイムサービス施設提示部２２として機能するようになっている。すなわち、この場合に、施設検索部３３は、現在時刻取得部２４によって取得された現在の時刻と、前記施設情報に示される施設の属性に関する設定された検索条件を満足する施設の検索結果（以下、現検索結果と称する）に示される施設についての前記施設情報と、ハードディスクドライブ１４に記憶された前記タイムサービス情報とに基づいて、前記現時該当施設を絞り込み検索するようになっている。具体的には、施設検索部３３は、前記現検索結果に示される施設のうち、前記施設情報に対応する前記タイムサービス情報が存在し、かつ、現在の時刻が当該タイムサービス情報に示される前記タイムサービス実施時間内となる施設を、前記現時該当施設として絞り込み検索するようになっている。
【０１３２】
なお、このとき、前記タイムサービス情報に示される前記タイムサービス実施時間がタイムサービスの実施期間をともなうような施設については、当該実施期間を加味した前記タイムサービス実施時間内に、年月日をともなう現在の時刻が含まれる場合に、ジャンルの条件を具備することを前提として前記現時該当施設として検索されることになる。
【０１３３】
そして、施設検索結果描画部３４は、施設検索部３３によって絞り込み検索された前記現時該当施設の検索結果をディスプレイ６に表示するようになっている。
【０１３４】
また、施設検索部３３および施設検索結果描画部３４は、絞り込み検索条件設定部６４によって前記到着時該当施設を絞り込む旨の絞り込み検索条件が設定された場合にも、タイムサービス施設提示部２２として機能するようになっている。すなわち、この場合に、施設検索部３３は、前記現検索結果に示される施設についての到着予想時刻算出部４８によって算出された到着予想時刻と、前記現検索結果に示される施設についての前記施設情報と、ハードディスクドライブ１４に記憶された前記タイムサービス情報とに基づいて、前記到着時該当施設を絞り込み検索するようになっている。具体的には、施設検索部３３は、前記現検索結果に示される施設のうち、前記施設情報に対応する前記タイムサービス情報が存在し、かつ、到着予想時刻が当該タイムサービス情報に示される前記タイムサービス実施時間内となる施設を、前記到着時該当施設として絞り込み検索するようになっている。
【０１３５】
なお、このとき、前記タイムサービス情報に示される前記タイムサービス実施時間がタイムサービスの実施期間をともなうような施設については、当該実施期間を加味した前記タイムサービス実施時間内に、年月日をともなう到着予想時刻が含まれる場合に、ジャンルの条件を具備することを前提として前記到着時該当施設として検索されることになる。
【０１３６】
そして、施設検索結果描画部３４は、施設検索部３３によって絞り込み検索された前記到着時該当施設の検索結果をディスプレイ６に表示するようになっている。
【０１３７】
次に、この第４の提示態様による提示動作の一例について説明する。
【０１３８】
なお、初期状態においては、施設検索部３３によって前記現検索結果に示される施設が検索されていて、当該現検索結果が、図７の検索結果一覧表示画面４０に示したような絞り込み検索条件の入力が可能な状態としてディスプレイ６に表示されているものとする。
【０１３９】
第４の提示態様においては、まず、図１２のステップ４１（ＳＴ４１）において、施設検索部３３により、施設検索条件設定部３２によって絞り込み検索条件が設定されたか否かの判定を行い、この判定において肯定的な判定結果が得られた場合にはステップ４２（ＳＴ４２）に進み、否定的な判定結果が得られた場合には処理を終了する。
【０１４０】
次いで、ステップ４２（ＳＴ４２）において、施設検索部３３により、絞り込み検索条件設定部６４によって設定された絞り込み検索条件が前記現時該当施設を絞り込む旨の絞り込み検索条件であるか否かの判定を行い、この判定において肯定的な判定結果が得られた場合にはステップ４３（ＳＴ４３）に進み、否定的な判定結果が得られた場合にはステップ４８（ＳＴ４８）に進む。
【０１４１】
ステップ４３（ＳＴ４３）に進む場合には、ステップ４３（ＳＴ４３）からステップ４７（ＳＴ４７）までの一連の処理が行われることになる。一方、ステップ４８（ＳＴ４８）に進む場合には、ステップ４８（ＳＴ４８）からステップ５２（ＳＴ５２）までの一連の処理が行われることになる。
【０１４２】
ここで、ステップ４３（ＳＴ４３）からステップ４７（ＳＴ４７）までの処理について先に説明すると、まず、ステップ４３（ＳＴ４３）において、施設検索部３３により、現在時刻取得部２４によって取得された現在の時刻を現在時刻取得部２４から取得する。
【０１４３】
次いで、ステップ４４（ＳＴ４４）において、施設検索部３３により、前記現検索結果に示される施設についての前記施設情報を取得する。この施設情報は、前記現検索結果に示される施設の検索の際にハードディスクドライブ１４から読み出されてＲＡＭ１３に保存されたものをＲＡＭ１３から読み出すことによって取得するようにしてもよい。
【０１４４】
次いで、ステップ４５（ＳＴ４５）において、施設検索部３３により、ハードディスクドライブ１４から前記タイムサービス情報を読み出す。
【０１４５】
次いで、ステップ４６（ＳＴ４６）において、施設検索部３３により、ステップ４３（ＳＴ４３）において取得された現在の時刻、ステップ４４（ＳＴ４４）において取得された前記施設情報およびステップ４５（ＳＴ４５）において読み出された前記タイムサービス情報に基づいて、前記現時該当施設を絞り込み検索する。
【０１４６】
次いで、ステップ４７（ＳＴ４７）において、施設検索結果描画部３４により、施設検索部３３による絞り込み検索の検索結果をディスプレイ６に表示して処理を終了する。
【０１４７】
次いで、ステップ４８（ＳＴ４８）からステップ５２（ＳＴ５２）までの処理について説明すると、まず、ステップ４８（ＳＴ４８）において、施設検索部３３により、絞り込み検索条件設定部６４によって設定された絞り込み検索条件が前記到着時該当施設を絞り込む旨の絞り込み検索条件であるか否かの判定を行い、この判定において肯定的な判定結果が得られた場合にはステップ４９（ＳＴ４９）に進み、否定的な判定結果が得られた場合にはステップ５３（ＳＴ５３）に進む。
【０１４８】
ステップ４９（ＳＴ４９）においては、施設検索部３３により、到着予想時刻算出部４８によって算出された前記現検索結果に示される施設についての到着予想時刻を取得してステップ５０（ＳＴ５０）に進む。
【０１４９】
一方、ステップ５３（ＳＴ５３）においては、施設検索部３３により、前記現時該当施設を絞り込む旨の絞り込み検索条件および前記到着時該当施設を絞り込む旨の絞り込み検索条件以外の絞り込み検索条件を満足する施設の絞り込み検索を行って処理を終了する。
【０１５０】
次いで、ステップ５０（ＳＴ５０）においては、施設検索部３３により、前記現検索結果に示される施設についての前記施設情報を取得する。
【０１５１】
次いで、ステップ５１（ＳＴ５１）において、施設検索部３３により、ハードディスクドライブ１４から前記タイムサービス情報を読み出す。
【０１５２】
次いで、ステップ５２（ＳＴ５２）において、施設検索部３３により、ステップ４９（ＳＴ４９）において取得された到着予想時刻、ステップ５０（ＳＴ５０）において取得された前記施設情報およびステップ５１（ＳＴ５１）において読み出された前記タイムサービス情報に基づいて、前記到着時該当施設を絞り込み検索してステップ４７（ＳＴ４７）に進む。
【０１５３】
上記構成に加えて、さらに、図３に示すように、ナビＣＰＵ１１は、その機能ブロックの１つとして、タイムサービス情報取得手段としてのタイムサービス情報取得部７０を有している。このタイムサービス情報取得部７０は、図１に示すように、通信装置８を介して、前記タイムサービス情報をこのタイムサービス情報に対応する施設を車載用ナビゲーション装置１が特定可能な状態で配信する配信サーバ７３に接続可能とされている。なお、配信サーバ７３は、前記タイムサービス情報を、ハードディスクドライブ１４に記憶された前記施設情報に対応する識別コードを付与した状態で配信するものであってもよい。そして、タイムサービス情報取得部７０は、配信サーバ７３との接続状態において、配信サーバ７３から配信される前記タイムサービス情報を受信して取得するようになっている。
【０１５４】
また、図３に示すように、ナビＣＰＵ１１は、その機能ブロックの１つとして、タイムサービス情報記録手段としてのタイムサービス情報記録部７１を有している。このタイムサービス情報記録部７１は、タイムサービス情報取得部７０によって取得された前記タイムサービス情報をハードディスクドライブ１４に、前記施設情報と対応させた状態で記録するようになっている。なお、配信サーバ７３からの受信時に、既に前記タイムサービス情報に前記施設情報に対応する識別コードが付与されている場合には、受信した前記タイムサービス情報をそのままハードディスクドライブ１４に記録すればよい。
【０１５５】
これにより、配信サーバ７３が保有するリアルタイムの前記タイムサービス情報を配信サーバ７３から取得することができるので、最新のタイムサービス情報に基づいたタイムサービスが実施される施設の提示を行うことができる。
【０１５６】
以上述べたように、本発明によれば、タイムサービス施設提示部２２により、現在の時刻、到着予想時刻またはユーザが設定した時間がタイムサービスが実施される時間内となるようなタイムサービスが実施される施設をユーザに提示することができるので、ユーザが、現在の時刻、到着予想時刻またはユーザが設定した時間にタイムサービスが実施されている施設を確実に把握することができる。これにより、現在タイムサービスが行われている自車位置の周辺の施設に向かうことや、タイムサービス実施時間を狙って経路誘導を受けつつ目的地に向かうことで、所望のタイムサービスを確実に受けることができる。
【０１５７】
なお、本発明は、前述した実施の形態に限定されるものではなく、必要に応じて種々の変更が可能なものである。例えば、本発明は、前述した第１乃至第４の提示態様によるタイムサービスが実施される施設の提示を具現化するための構成をすべて備えたものであってもよいし、これらの構成を選択的に備えたものであってもよい。
【符号の説明】
【０１５８】
１  車載用ナビゲーション装置
１４  ハードディスクドライブ
２２  タイムサービス施設提示部
【図１】
2010271061.tif 000003
【図２】
2010271061.tif 000004
【図３】
2010271061.tif 000005
【図４】
2010271061.tif 000006
【図５】
2010271061.tif 000007
【図６】
2010271061.tif 000008
【図７】
2010271061.tif 000009
【図８】
2010271061.tif 000010
【図９】
2010271061.tif 000011
【図１０】
2010271061.tif 000012
【図１１】
2010271061.tif 000013
【図１２】
2010271061.tif 000014